(57)【要約】【課題】  本発明の目的は、インクの分散安定性に優れ、カール適性、裏抜け耐性及び乾燥性に優れ、普通紙に対する両面印字適性を有するインクジェットインク及びそれを用いたインクジェット記録方法を提供する。【解決手段】  下記一般式（１）で表される化合物を２０質量％以上含有し、かつ顔料を含有することを特徴とするインクジェットインク。    【化１】2006045450.tif 000006〔式中、Ｘ1は酸素原子またはＮＲ2を表し、Ｘ2は酸素原子、ＮＲ3またはＣＨ2を表す。Ｒ1は水素原子または炭素数１〜４のアルキル基を表し、Ｒ2、Ｒ3は各々炭素数１〜４のアルキル基を表す。〕【選択図】        なし【特許請求の範囲】
【請求項１】
下記一般式（１）で表される化合物を２０質量％以上含有し、かつ顔料を含有することを特徴とするインクジェットインク。
【化１】
2006045450.tif 000005
〔式中、Ｘ1は酸素原子またはＮＲ2を表し、Ｘ2は酸素原子、ＮＲ3またはＣＨ2を表す。Ｒ1は水素原子または炭素数１〜４のアルキル基を表し、Ｒ2、Ｒ3は各々炭素数１〜４のアルキル基を表す。〕
【請求項２】
前記一般式（１）で表される化合物の含有量が、４０質量％以上であることを特徴とする請求項１に記載のインクジェットインク。
【請求項３】
前記一般式（１）で表される化合物の含有量が、５０質量％以上であることを特徴とする請求項１に記載のインクジェットインク。
【請求項４】
前記一般式（１）で表される化合物が、炭酸エチレン、炭酸プロピレン及び１，３−ジメチル−２−イミダゾリジノンから選ばれる少なくとも１種であることを特徴とする請求項１〜３のいずれか１項に記載のインクジェットインク。
【請求項５】
比誘電率が３０以上の非プロトン性溶媒を２０質量％以上含有し、かつ顔料を含有することを特徴とするインクジェットインク。
【請求項６】
前記比誘電率が３０以上の非プロトン性溶媒の含有率が４０質量％以上であることを特徴とする請求項５に記載のインクジェットインク。
【請求項７】
前記比誘電率が３０以上の非プロトン性溶媒の含有率が５０質量％以上であることを特徴とする請求項５に記載のインクジェットインク。
【請求項８】
前記比誘電率が３０以上の非プロトン性溶媒の少なくとも一つが、前記一般式（１）で表される化合物であることを特徴とする請求項５〜７のいずれか１項に記載のインクジェットインク。
【請求項９】
水の含有量が、１０質量％以上、５０質量％未満であることを特徴とする請求項１〜８のいずれか１項に記載のインクジェットインク。
【請求項１０】
表面張力が、４０ｍＮ／ｍ以下であることを特徴とする請求項１〜９のいずれか１項に記載のインクジェットインク。
【請求項１１】
前記顔料が、アニオン性高分子分散剤により分散されていることを特徴とする請求項１〜１０のいずれか１項に記載のインクジェットインク。
【請求項１２】
前記顔料の少なくとも１つが、自己分散顔料であることを特徴とする請求項１〜１０のいずれか１項に記載のインクジェットインク。
【請求項１３】
請求項１〜１２のいずれか１項に記載のインクジェットインクをインクジェット記録ヘッドより吐出し、普通紙に印字することを特徴とするインクジェット記録方法。
【請求項１４】
請求項１〜１２のいずれか１項に記載のインクジェットインクをインクジェット記録ヘッドより吐出し、被記録媒体の両面に印字することを特徴とするインクジェット記録方法。
【発明の詳細な説明】
【技術分野】
【０００１】
本発明は、新規のインクジェットインク及びインクジェット記録方法に関する。
【背景技術】
【０００２】
近年、インクジェット記録方式は簡便・安価に画像を作成出来るため、写真、各種印刷、マーキング、カラーフィルター等の特殊印刷など、様々な印刷分野に応用されてきている。特に、微細なドットを出射、制御するインクジェット記録装置や、色再現域、耐久性、出射適性等を改善したインク及びインクの吸収性、色材の発色性、表面光沢などを飛躍的に向上させた専用紙を用い、銀塩写真に匹敵する画質を得ることも可能となっている。
【０００３】
しかしながら、専用紙を必要とするインクジェット画像記録システムでは、用いることのできる記録媒体が制限されること、記録媒体のコストアップ等が問題となる。
【０００４】
一方、オフィスにおいては、記録媒体（例えば、普通紙、コート紙、アート紙、普通紙両面印刷等）の制約を受けずに高速でフルカラー印字が行えるシステムのニーズが益々高まりつつある。
【０００５】
インクジェットインクの組成についても、高速で印字でき、普通紙での文字再現性がよく、印字の際の裏抜け（印字したインクが記録媒体を通過し、裏面にその画像が映る現象）、フェザリング、画像滲みの発生がなく、また紙への浸透が速く乾燥が速い等の観点で種々の検討が行われてきた。
【０００６】
その一つの方法として、インクジェット用インクとして、水の含有率を５０質量％以上とした、所謂水性インクジェットインクが広く用いられているが、この様な水性インクジェットインクを用いて、電子写真用コピー紙や上質紙、中質紙といった普通紙に画像記録を行った場合、画像の裏抜け、フェザリング等の浸透性に起因する問題に加え、画像記録した普通紙のカールやコックリングが大きな問題となる。
【０００７】
上記課題に対し、ブリストウ法における記録媒体への濡れ時間と吸収係数を規定し、浸透性を改良したインクを用いるインクジェット記録方法が開示されている（例えば、特許文献１参照。）。しかしながら、この方法では、インク中の色剤も同時に普通紙内部に浸透してしまうため、画像濃度の低下やインクの裏抜けが大きくなり、特に、両面印刷には適性を有していないという欠点を抱えている。
【０００８】
また、特定のアミド化合物、ピリジン誘導体、イミダゾリン化合物または尿素化合物をカール防止剤として含有するインクジェットインクが開示されている（例えば、特許文献２参照。）。しかしながら、この方法では、カール防止剤の添加によるカール防止を試みているが、印字直後のコックリングの防止には至らず、その効果は不十分なものであった。加えて、インク液の乾燥に伴い、記録ヘッドのノズル部で目詰まりを起こしやすいという問題を抱えていた。
【０００９】
また、上記カールを改良する方法として、画像印字面の裏面側に、水を含む溶液を付与してカールバランスを適正化するインクジェット記録法補が提案されている（例えば、特許文献３参照。）。しかしながら、この方法では、両面記録適性を有していないこと、普通紙へのインク及びカールバランス液の付着量の増加に伴い、普通紙の強度が低下し、搬送時にジャミング等を生じやすい欠点があった。
【００１０】
また、水性インクジェットインクに代えて、高速で印字を行うことのできるソルベント系インクも検討されている。即ち、揮発性溶媒を含有して乾燥性を高めた油性インク（ソルベント系インクジェットインク）を用いることで、普通紙に印字しても、記録媒体への浸透が速く乾燥時間が短く、記録媒体のカール等が生じず、高速な印字が可能である。しかしながらソルベント系インクは、普通紙媒体への浸透性が高いため、文字再現性が悪いこと、および記録媒体での裏抜けを引き起こし、特に普通紙の両面に印字を行う場合の大きな障害となっていた。
【００１１】
また、エチレン尿素のＮ−アルキル置換誘導体を含有したインクジェットインクが開示されている（例えば、特許文献４参照。）。該特許文献に記載の実施例には、１，３−ジメチル−２−イミダゾリジンを６０質量％含有するインクジェットインクが開示されているが、使用している色材は水溶性染料であるため、裏抜けが大きく、両面印字適性としては極めて不十分であると言える。更に、酸化処理された自己分散型顔料と、アセチレンジオール界面活性剤と、１，３−ジメチル−２−イミダゾリジン、Ｎ−メチル−２−ピロリジノン及び２−ピロリジノンから選ばれる含窒素複素環式化合物と、保恒剤とを含むインクジェットインクが開示されている（例えば、特許文献５参照。）。しかしながら、該特許文献には、含窒素複素環式化合物の好ましい含有量に関する示唆はなく、また実施例でＮ−メチル−２−ピロリドンを４．５〜９質量％含むインクジェットインクが開示されているが、そこに提示されている添加量では、カール耐性、コックリング耐性及び裏抜けの抑制に至っていないのが現状である。
【特許文献１】特開平１０−３１６９１５号公報
【特許文献２】特開平９−１７６５３８号公報
【特許文献３】特開平１０−２７２８２８号公報
【特許文献４】特開昭５５−７１７６８号公報
【特許文献５】国際公開第００／５８４１１号パンフレット
【発明の開示】
【発明が解決しようとする課題】
【００１２】
本発明は、上記課題に鑑みなされたものであり、その目的は、インクの分散安定性に優れ、カール適性、裏抜け耐性及び乾燥性に優れ、普通紙に対する両面印字適性を有するインクジェットインク及びそれを用いたインクジェット記録方法を提供する。
【課題を解決するための手段】
【００１３】
本発明の上記目的は、以下の構成により達成される。
【００１４】
（請求項１）
下記一般式（１）で表される化合物を２０質量％以上含有し、かつ顔料を含有することを特徴とするインクジェットインク。
【００１５】
【化１】
2006045450.tif 000002
【００１６】
〔式中、Ｘ1は酸素原子またはＮＲ2を表し、Ｘ2は酸素原子、ＮＲ3またはＣＨ2を表す。Ｒ1は水素原子または炭素数１〜４のアルキル基を表し、Ｒ2、Ｒ3は各々炭素数１〜４のアルキル基を表す。〕
（請求項２）
前記一般式（１）で表される化合物の含有量が、４０質量％以上であることを特徴とする請求項１に記載のインクジェットインク。
【００１７】
（請求項３）
前記一般式（１）で表される化合物の含有量が、５０質量％以上であることを特徴とする請求項１に記載のインクジェットインク。
【００１８】
（請求項４）
前記一般式（１）で表される化合物が、炭酸エチレン、炭酸プロピレン及び１，３−ジメチル−２−イミダゾリジノンから選ばれる少なくとも１種であることを特徴とする請求項１〜３のいずれか１項に記載のインクジェットインク。
【００１９】
（請求項５）
比誘電率が３０以上の非プロトン性溶媒を２０質量％以上含有し、かつ顔料を含有することを特徴とするインクジェットインク。
【００２０】
（請求項６）
前記比誘電率が３０以上の非プロトン性溶媒の含有率が４０質量％以上であることを特徴とする請求項５に記載のインクジェットインク。
【００２１】
（請求項７）
前記比誘電率が３０以上の非プロトン性溶媒の含有率が５０質量％以上であることを特徴とする請求項５に記載のインクジェットインク。
【００２２】
（請求項８）
前記比誘電率が３０以上の非プロトン性溶媒の少なくとも一つが、前記一般式（１）で表される化合物であることを特徴とする請求項５〜７のいずれか１項に記載のインクジェットインク。
【００２３】
（請求項９）
水の含有量が、１０質量％以上、５０質量％未満であることを特徴とする請求項１〜８のいずれか１項に記載のインクジェットインク。
【００２４】
（請求項１０）
表面張力が、４０ｍＮ／ｍ以下であることを特徴とする請求項１〜９のいずれか１項に記載のインクジェットインク。
【００２５】
（請求項１１）
前記顔料が、アニオン性高分子分散剤により分散されていることを特徴とする請求項１〜１０のいずれか１項に記載のインクジェットインク。
【００２６】
（請求項１２）
前記顔料の少なくとも１つが、自己分散顔料であることを特徴とする請求項１〜１０のいずれか１項に記載のインクジェットインク。
【００２７】
（請求項１３）
請求項１〜１２のいずれか１項に記載のインクジェットインクをインクジェット記録ヘッドより吐出し、普通紙に印字することを特徴とするインクジェット記録方法。
【００２８】
（請求項１４）
請求項１〜１２のいずれか１項に記載のインクジェットインクをインクジェット記録ヘッドより吐出し、被記録媒体の両面に印字することを特徴とするインクジェット記録方法。
【発明の効果】
【００２９】
本発明によれば、インクの分散安定性に優れ、カール適性、裏抜け耐性及び乾燥性に優れ、普通紙に対する両面印字適性を有するインクジェットインク及びそれを用いたインクジェット記録方法を提供することができる。
【発明を実施するための最良の形態】
【００３０】
以下、本発明を実施するための最良の形態について詳細に説明する。
【００３１】
本発明者は、上記課題に鑑み鋭意検討を行った結果、１）前記一般式（１）で表される化合物を２０質量％以上含有し、かつ顔料を含有するインクジェットインク、あるいは２）比誘電率が３０以上の非プロトン性溶媒を２０質量％以上含有し、かつ顔料を含有するインクジェットインクにより、インクの分散安定性に優れ、カール適性、裏抜け耐性及び乾燥性に優れ、普通紙に対する両面印字適性を有するインクジェットインクを実現できることを見出し、本発明に至った次第である。
【００３２】
前述のごとく、インクジェットプリントにおいて、特にオフィスを中心に普通紙に対する両面印字の需要が高まりつつあり、両面印字適性について大きく分類すると、印字面のカール、コックリングがないこと、印字した画像が裏面に抜けないことが挙げられる。前者は裏面印刷時の搬送性に関わり、後者は裏面画像の視認性に関係する。
【００３３】
本発明において、前記一般式（１）で表される化合物、または比誘電率が３０以上の非プロトン性溶媒をインク中に２０質量％以上含有させることにより、カール適性に優れ、コックリング耐性を向上させることができることを見出した。
【００３４】
本発明で規定する構成からなるインクの上記特性の達成メカニズムは定かではないが、非プロトン性化合物を一定量以上インクに含有させることにより、例えば、普通紙を構成するセルロース繊維との相互作用が減少し、それによりカールやコックリングが抑制されたものと推定している。さらに、水の含有量を５０質量％未満とすることにより、その効果はより顕著なものとなる。更に、色材として顔料を使用することにより、裏抜けが抑制されることを見出した。本発明に係る前記一般式（１）で表される化合物、または比誘電率が３０以上の非プロトン性溶媒を一定量以上含有する媒体中では、顔料がセルロース繊維に対して強く吸着し、表面近傍に色材が局在化するものと推測している。
【００３５】
以下、本発明の詳細について説明する。
【００３６】
本発明のインクジェットインクにおいては、前記一般式（１）で表される化合物を２０質量％以上含有することを特徴とし、含有量として好ましくは２０質量％以上、９０質量％未満、より好ましくは４０質量％以上、９０質量％未満、更に好ましくは５０質量％以上、９０質量％未満である。
【００３７】
前記一般式（１）において、Ｘ1は酸素原子またはＮＲ2を表し、Ｘ2は酸素原子、ＮＲ3またはＣＨ2を表す。Ｒ1は水素原子または炭素数１〜４のアルキル基を表し、Ｒ2、Ｒ3は各々炭素数１〜４のアルキル基を表す。炭素数１〜４のアルキル基としては、例えば、メチル基、エチル基、プロピル基、イソプロピル基、ブチル基等が挙げられる。
【００３８】
本発明に係る前記一般式（１）で表される化合物の例として、炭酸エチレン、炭酸プロピレン、１，３−ジメチル−２−イミダゾリジノン、γ−ブチロラクトン、Ｎ−メチル−２−ピロリジノン等が挙げられる。これらの化合物は１種類で使用しても、複数の化合物を併用しても良く、インク全量に対する総添加量が２０質量％以上であれば本発明の効果が得られる。
【００３９】
本発明のインクジェットインクにおいては、本発明に係る一般式（１）で表される化合物が、炭酸エチレン、炭酸プロピレンまたは１，３−ジメチル−２−イミダゾリジノンであることが好ましく、更には１，３−ジメチル−２−イミダゾリジノンであることが好ましい。
【００４０】
また、本発明のインクジェットインクにおいては、比誘電率が３０以上の非プロトン性溶媒を２０質量％以上含有することを特徴とし、含有量として好ましくは２０質量％以上、９０質量％未満、より好ましくは４０質量％以上、９０質量％未満、更に好ましくは５０質量％以上、９０質量％未満である。
【００４１】
本発明でいう比誘電率とは、真空に対する比誘電率であり、ＡＳＴＭ−１５０に準処して、市販の測定装置、例えば、誘電率測定装置  ＨＰ  Ｅ５０５０Ａ  ＨＥＷＬＥＴＴ  ＰＡＣＫＡＲＤ等で測定可能である。また、「化学便覧  改訂４版（II）」丸善株式会社、「溶剤ハンドブック  第Ｉ版」（講談社サイエンティフィク）に値が記載されている
本発明に係る比誘電率が３０以上の非プロトン性溶媒の例としては、炭酸プロピレン（６９）、１，３−ジメチル−２−イミダゾリジノン（３８）、γ−ブチロラクトン（３９）、Ｎ−メチル−２−ピロリジノン（３２）、ジメチルスルホキシド（４９）、Ｎ，Ｎ−ジメチルホルムアミド（３７）、Ｎ，Ｎ−ジメチルアセトアミド（３８）等が挙げられる。なお、括弧内の数値は比誘電率を表す。これらの溶媒は１種類でも複数の溶媒を併用しても良く、インク全量に対する総添加量が２０質量％以上であれば本発明の効果が得られる。
【００４２】
本発明のインクジェットインクにおいては、本発明に係る比誘電率が３０以上の非プロトン性溶媒が、前記一般式（１）で表される化合物であることがより好ましい。
【００４３】
本発明のインクジェットインクにおいては、色材として顔料を用いることを１つの特徴とする。
【００４４】
本発明において使用できる顔料としては、従来公知のものを特に制限なく使用でき、水分散性顔料、溶剤分散性顔料等何れも使用可能であり、例えば、不溶性顔料、レーキ顔料等の有機顔料及び、カーボンブラック等の無機顔料を好ましく用いることができる。
【００４５】
不溶性顔料としては、特に限定するものではないが、例えば、アゾ、アゾメチン、メチン、ジフェニルメタン、トリフェニルメタン、キナクリドン、アントラキノン、ペリレン、インジゴ、キノフタロン、イソインドリノン、イソインドリン、アジン、オキサジン、チアジン、ジオキサジン、チアゾール、フタロシアニン、ジケトピロロピロール等が好ましい。
【００４６】
好ましく用いることのできる具体的顔料としては、以下の顔料が挙げられる。
【００４７】
マゼンタまたはレッド用の顔料としては、例えば、Ｃ．Ｉ．ピグメントレッド２、Ｃ．Ｉ．ピグメントレッド３、Ｃ．Ｉ．ピグメントレッド５、Ｃ．Ｉ．ピグメントレッド６、Ｃ．Ｉ．ピグメントレッド７、Ｃ．Ｉ．ピグメントレッド１５、Ｃ．Ｉ．ピグメントレッド１６、Ｃ．Ｉ．ピグメントレッド４８：１、Ｃ．Ｉ．ピグメントレッド５３：１、Ｃ．Ｉ．ピグメントレッド５７：１、Ｃ．Ｉ．ピグメントレッド１２２、Ｃ．Ｉ．ピグメントレッド１２３、Ｃ．Ｉ．ピグメントレッド１３９、Ｃ．Ｉ．ピグメントレッド１４４、Ｃ．Ｉ．ピグメントレッド１４９、Ｃ．Ｉ．ピグメントレッド１６６、Ｃ．Ｉ．ピグメントレッド１７７、Ｃ．Ｉ．ピグメントレッド１７８、Ｃ．Ｉ．ピグメントレッド２２２等が挙げられる。
【００４８】
オレンジまたはイエロー用の顔料としては、例えば、Ｃ．Ｉ．ピグメントオレンジ３１、Ｃ．Ｉ．ピグメントオレンジ４３、Ｃ．Ｉ．ピグメントイエロー１２、Ｃ．Ｉ．ピグメントイエロー１３、Ｃ．Ｉ．ピグメントイエロー１４、Ｃ．Ｉ．ピグメントイエロー１５、Ｃ．Ｉ．ピグメントイエロー１５：３、Ｃ．Ｉ．ピグメントイエロー１７、Ｃ．Ｉ．ピグメントイエロー７４、Ｃ．Ｉ．ピグメントイエロー９３、Ｃ．Ｉ．ピグメントイエロー１２８、Ｃ．Ｉ．ピグメントイエロー９４、Ｃ．Ｉ．ピグメントイエロー１３８等が挙げられる。
【００４９】
グリーンまたはシアン用の顔料としては、例えば、Ｃ．Ｉ．ピグメントブルー１５、Ｃ．Ｉ．ピグメントブルー１５：２、Ｃ．Ｉ．ピグメントブルー１５：３、Ｃ．Ｉ．ピグメントブルー１６、Ｃ．Ｉ．ピグメントブルー６０、Ｃ．Ｉ．ピグメントグリーン７等が挙げられる。
【００５０】
以上の他にレッド、グリーン、ブルー、中間色が必要とされる場合には以下の顔料を単独あるいは併用して用いることが好ましく、例えば
Ｃ．Ｉ．Ｐｉｇｍｅｎｔ  Ｒｅｄ２０９、２２４、１７７、１９４；
Ｃ．Ｉ．Ｐｉｇｍｅｎｔ  Ｏｒａｎｇｅ４３；
Ｃ．Ｉ．Ｖａｔ  Ｖｉｏｌｅｔ３；
Ｃ．Ｉ．Ｐｉｇｍｅｎｔ  Ｖｉｏｌｅｔ１９、２３、３７；
Ｃ．Ｉ．Ｐｉｇｍｅｎｔ  Ｇｒｅｅｎ３６、７；
Ｃ．Ｉ．Ｐｉｇｍｅｎｔ  Ｂｌｕｅ１５：６；
等が用いられる。
【００５１】
また、ブラック用の顔料としては、例えば、Ｃ．Ｉ．ピグメントブラック１、Ｃ．Ｉ．ピグメントブラック６、Ｃ．Ｉ．ピグメントブラック７等が挙げられる
本発明で用いられる顔料は、分散剤及びその他所望する諸目的に応じて必要な添加物と共に分散機により分散して用いることが好ましい。分散機としては従来公知のボールミル、サンドミル、アトライター、ロールミル、アジテータ、ヘンシェルミキサ、コロイドミル、超音波ホモジナイザー、パールミル、湿式ジェットミル、ペイントシェーカー等を用いることができる。
【００５２】
本発明において、顔料がアニオン性高分子分散剤により分散された顔料、またはアニオン性の自己分散顔料であることが裏抜け抑制の点から好ましい。
【００５３】
アニオン性高分子分散剤とは、分子内に酸性基を有しており、これを塩基性化合物により中和して得られるアニオン性基を有した分散剤を指す。この時に用いる塩基性化合物としては、水酸化ナトリウム、水酸化カリウム等のアルカリ金属の水酸化物、アンモニア、アルキルアミン、アルカノールアミン等のアミン類が挙げられるが、本発明においてはアミン類が特に好ましい。
【００５４】
本発明に用いられる高分子分散剤としては、分子量１０００以上のアニオン性分散剤、すなわちアニオン性高分子分散剤であることが好ましく、分子量が１０００以上であれば特に制限はなく、例えば、ポリビニルアルコール類、ポリビニルピロリドン類、ポリアクリル酸や、アクリル酸−アクリルニトリル共重合体、アクリル酸カリウム−アクリルニトリル共重合体、酢酸ビニル−アクリル酸エステル共重合体、アクリル酸−アクリル酸エステル共重合体などのアクリル系樹脂、スチレン−アクリル酸共重合体、スチレン−メタクリル酸共重合体、スチレン−メタクリル酸−アクリル酸エステル共重合体、スチレン−α−メチルスチレン−アクリル酸共重合体、スチレン−α−メチルスチレン−アクリル酸−アクリル酸エステル共重合体などのスチレン−アクリル樹脂、スチレン−マレイン酸共重合体、スチレン−無水マレイン酸共重合体、ビニルナフタレン−アクリル酸共重合体、ビニルナフタレン−マレイン酸共重合体、及び酢酸ビニル−エチレン共重合体、酢酸ビニル−脂肪酸ビニルエチレン共重合体、酢酸ビニル−マレイン酸エステル共重合体、酢酸ビニル−クロトン酸共重合体、酢酸ビニル−アクリル酸共重合体などの酢酸ビニル系共重合体及びそれらの塩などの共重合体あるいは樹脂が、例えば、カルボン酸、スルホン酸又はホスホン酸の官能性を持つホモポリマー、コポリマー、ターポリマーを含むものである。酸の官能性を与えるモノマーは、例えばアクリル酸、メタクリル酸、クロトン酸、マレイン酸、無水マレイン酸、イタコン酸、メサコン酸、フマル酸、シトラコン酸、ビニル酢酸、アクリルオキシプロピオン酸、ビニルスルホン酸、スチレンスルホン酸、２−アクリルアミド−２−メチルプロパンスルホン酸、アリルスルホン酸、アリルホスホン酸、ビニルホスホン酸及びビニルスルホン酸等である。
【００５５】
本発明のインクに使用する顔料分散体の平均粒径は、１０ｎｍ以上、２００ｎｍ以下であることが好ましく、１０ｎｍ以上、１５０ｎｍ以下がより好ましい。顔料分散体の平均粒径が２００ｎｍを越えると、分散が不安定となり。また、顔料分散体の平均粒径が１０ｎｍ未満になっても顔料分散体の安定性が悪くなりやすく、インクの保存安定性が劣化しやすくなる。
【００５６】
顔料分散体の粒径測定は、光散乱法、電気泳動法、レーザードップラー法等を用いた市販の粒径測定機器により求めることが出来る。また、透過型電子顕微鏡による粒子像撮影を少なくとも１００粒子以上に対して行い、この像をＩｍａｇｅ−Ｐｒｏ（メディアサイバネティクス製）等の画像解析ソフトを用いて統計的処理を行うことによっても求めることが可能である。
【００５７】
本発明に係る自己分散顔料とは、分散剤なしで分散が可能な顔料を指し、好ましくは表面に極性基を有している顔料粒子であり、更に好ましくはアニオン性の自己分散顔料である。アニオン性の自己分散顔料は、顔料に酸性基が修飾されており、これを塩基性化合物により中和しアニオン性基として、分散剤が無くとも水への分散を可能とした顔料を指す。
【００５８】
表面に酸性基を有する顔料粒子とは、顔料粒子表面に直接酸性基で修飾させた顔料、あるいは有機顔料母核を有する有機物で直接にまたはジョイントを介して酸性基が結合しているものをいう。
【００５９】
酸性基（極性基ともいう）としては、例えば、スルホン酸基、カルボン酸基、燐酸基、硼酸基、水酸基が挙げられるが、好ましくはスルホン酸基、カルボン酸基であり、更に好ましくは、スルホン酸基である。
【００６０】
酸性基の修飾剤としては、硫酸、発煙硫酸、三酸化硫黄、クロロ硫酸、フルオロ硫酸、アミド硫酸、スルホン化ピリジン塩、スルファミン酸等の硫黄原子を含有する処理剤、顔料粒子表面を酸化させてカルボン酸基を導入する次亜塩素酸ナトリウムや次亜塩素酸カリウム等のカルボキシル化剤が挙げられる。中でも、三酸化硫黄，スルホン化ピリジン塩またはスルファミン酸等のスルホン化剤、もしくはカルボキシル化剤が好ましい。酸性基を中和する塩基性化合物としては、水酸化ナトリウム、水酸化カリウム等のアルカリ金属の水酸化物、アンモニア、アルキルアミン、アルカノールアミン等のアミン類が挙げられるが、本発明においてはアミン類が特に好ましい。
【００６１】
アニオン性基を有する顔料を用いることにより裏抜けが抑制される機構として、セルロースに吸着した水分子とアニオン性基が相互作用し、顔料がインク溶媒と共に紙の内部へ浸透するのを抑制しているものと推定しているが、本発明はこの推論に限定されるものではない。
【００６２】
表面に極性基を有する顔料粒子を得る方法としては、例えば、ＷＯ９７／４８７６９号公報、特開平１０−１１０１２９号公報、特開平１１−２４６８０７号公報、特開平１１−５７４５８号公報、同１１−１８９７３９号公報、特開平１１−３２３２３２号公報、特開２０００−２６５０９４公報等に記載の顔料粒子表面を適当な酸化剤でさせることにより、顔料表面の少なくとも一部に、スルホン酸基もしくはその塩といった極性基を導入する方法が挙げられる。具体的には、カーボンブラックを濃硝酸で酸化したり、カラー顔料の場合は、スルフォランやＮ−メチル−２−ピロリドン中で、スルファミン酸、スルフォン化ピリジン塩、アミド硫酸等で酸化することにより調製することができる。これらの反応で、酸化が進みすぎ、水溶性となってしまった物は除去、精製することにより、顔料分散体を得ることができる。また、酸化によりスルフォン酸基を表面に導入した場合は、酸性基を必要に応じて、塩基性化合物を用いて中和してもよい。
【００６３】
そのほかの方法としては、特開平１１−４９９７４号公報、特開２０００−２７３３８３公報、同２０００−３０３０１４公報等に記載の顔料誘導体をミリング等の処理で顔料粒子表面に吸着させる方法、特願２０００−３７７０６８、同２００１−１４９５、同２００１−２３４９６６に記載の顔料を顔料誘導体と共に溶媒で溶解した後、貧溶媒中で晶析させる方法等を挙げることができ、いずれの方法でも容易に、表面に極性基を有する顔料粒子を得ることができる。
【００６４】
本発明においては、極性基は、フリーでも塩の状態でもよいし、あるいはカウンター塩を有していてもよい。カウンター塩としては、例えば、無機塩（リチウム、ナトリウム、カリウム、マグネシウム、カルシウム、アルミニウム、ニッケル、アンモニウム）、有機塩（トリエチルアンモニウム、ジエチルアンモニウム、ピリジニウム、トリエタノールアンモニウム等）が挙げられ、好ましくは１価の価数を有するカウンター塩である。
【００６５】
本発明のインクジェットインクにおいては、本発明に係る前記一般式（１）で表される化合物または比誘電率が３０以上の非プロトン性溶媒を含有すると共に、水の含有量を１０質量％以上、５０質量％未満に規定することが好ましい。インクジェットインク中の水含有量が１０質量％未満であると、裏抜けや文字の滲みが多くなり、また５０質量％以上となるとカールが起こりやすい。
【００６６】
通常インクジェットインクの表面張力は３７ｍＮ／ｍ〜５５ｍＮ／ｍの範囲であるが、本発明のインクジェットインクにおいては、表面張力が４０ｍＮ／ｍ以下であることが好ましく、更に好ましくは２５〜３５ｍＮ／ｍである。上記で規定する表面張力範囲とすることにより、普通紙を用いて画像記録を行った際に、浸透性がよく、より乾燥性に優れたインクジェットインクとなる。これにより普通紙に印字する際に、必要な浸透性と、乾燥性、また同時に裏移りや裏抜け等のない高速印字に適したインクとなる。なお、表面張力の測定方法は、ウイルヘルミー型表面張力計により、相対湿度５５％２３℃の環境で測定する。
【００６７】
次いで、本発明のインクジェットインクのその他の構成要素について説明する。
【００６８】
本発明のインクジェットインクにおいては、界面活性剤を用いることができる。本発明に用いられる界面活性剤としては陽イオン性、陰イオン性、両性、非イオン性のいずれも用いることができる。界面活性剤の添加量としては、前記のように本発明のインクジェットインクの表面張力を４０ｍＮ／ｍ以下となる様に適宜設定することが好ましい。
【００６９】
陽イオン性界面活性剤としては、脂肪族アミン塩、脂肪族４級アンモニウム塩、ベンザルコニウム塩、塩化ベンゼトニウム、ピリジニウム塩、イミダゾリニウム塩、等が挙げられる。
【００７０】
陰イオン性界面活性剤としては、脂肪酸石鹸、Ｎ−アシル−Ｎ−メチルグリシン塩、Ｎ−アシル−Ｎ−メチル−β−アラニン塩、Ｎ−アシルグルタミン酸塩、アシル化ペプチド、アルキルスルフォン酸塩、アルキルベンゼンスルフォン酸塩、アルキルナフタレンスルフォン酸塩、ジアルキルスルホコハク酸エステル塩、アルキルスルホ酢酸塩、α−オレフィンスルホン酸塩、Ｎ−アシルメチルタウリン、硫酸化油、高級アルコール硫酸エステル塩、第２級高級アルコール硫酸エステル塩、アルキルエーテル硫酸塩、第２級高級アルコールエトキシサルフェート、ポリオキシエチレンアルキルフェニルエーテル硫酸塩、モノグリサルフェート、脂肪酸アルキロールアミド硫酸エステル塩、アルキルエーテルリン酸エステル塩、アルキルリン酸エステル塩等が挙げられる。
【００７１】
両性界面活性剤としては、カルボキシベタイン型、スルホベタイン型、アミノカルボン酸塩、イミダゾリニウムベタイン等が挙げられる。
【００７２】
非イオン活性剤としては、ポリオキシエチレン２級アルコールエーテル、ポリオキシエチレンアルキルフェニルエーテル、ポリオキシエチレンステロールエーテル、ポリオキシエチレンラノリン誘導体ポリオキシエチレンポリオキシプロピレンアルキルエーテル、ポリオキシエチレングリセリン脂肪酸エステル、ポリオキシエチレンヒマシ油、硬化ヒマシ油、ポリオキシエチレンソルビトール脂肪酸エステル、ポリエチレングリコール脂肪酸エステル、脂肪酸モノグリセリド、ポリグリセリン脂肪酸エステル、ソルビタン脂肪酸エステル、プロピレングリコール脂肪酸エステル、ショ糖脂肪酸エステル、脂肪酸アルカノールアミド、ポリオキシエチレン脂肪酸アミド、ポリオキシエチレンアルキルアミン、アルキルアミンオキサイド、アセチレングリコール、アセチレンアルコール等が挙げられる。
【００７３】
本発明のインクジェットインクにおいては、本発明に係る前記一般式（１）で表される化合物または比誘電率が３０以上の非プロトン性溶媒を含有すると共に、本発明の目的効果を妨げない範囲で、インク溶媒として公知の有機溶媒を併用することができる。
【００７４】
本発明のインクジェットインクにおいてインク溶媒として用いられる有機溶媒は、以下の水溶性有機溶媒から選ばれる。アルコール類（例えば、メタノール、エタノール、プロパノール、イソプロパノール、ブタノール、イソブタノール、セカンダリーブタノール、ターシャリーブタノール、ペンタノール、ヘキサノール、シクロヘキサノール、ベンジルアルコール等）、多価アルコール類（例えば、エチレングリコール、ジエチレングリコール、トリエチレングリコール、ポリエチレングリコール、プロピレングリコール、ジプロピレングリコール、ポリプロピレングリコール、ブチレングリコール、ヘキサンジオール、ペンタンジオール、グリセリン、ヘキサントリオール、チオジグリコール等）、多価アルコールエーテル類（例えば、エチレングリコールモノメチルエーテル、エチレングリコールモノエチルエーテル、エチレングリコールモノブチルエーテル、エチレングリコールモノフェニルエーテル、ジエチレングリコールモノメチルエーテル、ジエチレングリコールモノエチルエーテル、ジエチレングリコールモノブチルエーテル、ジエチレングリコールジメチルエーテル、プロピレングリコールモノメチルエーテル、プロピレングリコールモノブチルエーテル、エチレングリコールモノメチルエーテルアセテート、トリエチレングリコールモノメチルエーテル、トリエチレングリコールモノエチルエーテル、トリエチレングリコールモノブチルエーテル、トリエチレングリコールジメチルエーテル、ジプロピレングリコールモノプロピルエーテル、トリプロピレングリコールジメチルエーテル等）、アミン類（例えば、エタノールアミン、ジエタノールアミン、トリエタノールアミン、Ｎ−メチルジエタノールアミン、Ｎ−エチルジエタノールアミン、モルホリン、Ｎ−エチルモルホリン、エチレンジアミン、ジエチレンジアミン、トリエチレンテトラミン、テトラエチレンペンタミン、ポリエチレンイミン、ペンタメチルジエチレントリアミン、テトラメチルプロピレンジアミン等）、アミド類（例えば、ホルムアミド、Ｎ，Ｎ−ジメチルホルムアミド、Ｎ，Ｎ−ジメチルアセトアミド等）、複素環類（例えば、２−ピロリドン、Ｎ−メチル−２−ピロリドン、Ｎ−シクロヘキシル−２−ピロリドン、２−オキサゾリドン、１，３−ジメチル−２−イミダゾリジノン等）、スルホキシド類（例えば、ジメチルスルホキシド等）、スルホン類（例えば、スルホラン等）、スルホン酸塩類（例えば１−ブタンスルホン酸ナトリウム塩等）、尿素、アセトニトリル、アセトン等を挙げることができる。
【００７５】
また、本発明のインクジェットインク中には、インクの多価金属イオンであるカルシウムイオン、マグネシウムイオン及び鉄イオンの総含有量が、１０ｐｐｍ以下であることが好ましく、より好ましくは０．１〜５ｐｐｍ、特に好ましくは０．１〜１ｐｐｍである。
【００７６】
インクジェットインク中の多価金属イオンの含有量を、上記で規定した量とすることにより、高い分散安定性を有するインクを得ることができる。本発明に係る多価金属イオンは、硫酸塩、塩化物、硝酸塩、酢酸塩、有機アンモニウム塩、ＥＤＴＡ塩等に含有されている。
【００７７】
本発明のインクジェットインクでは、上記説明した以外に、必要に応じて、出射安定性、プリントヘッドやインクカートリッジ適合性、保存安定性、画像保存性、その他の諸性能向上の目的に応じて、公知の各種添加剤、例えば、粘度調整剤、比抵抗調整剤、皮膜形成剤、紫外線吸収剤、酸化防止剤、退色防止剤、防ばい剤、防錆剤等を適宜選択して用いることができ、例えば、流動パラフィン、ジオクチルフタレート、トリクレジルホスフェート、シリコンオイル等の油滴微粒子、特開昭５７−７４１９３号、同５７−８７９８８号及び同６２−２６１４７６号に記載の紫外線吸収剤、特開昭５７−７４１９２号、同５７−８７９８９号、同６０−７２７８５号、同６１−１４６５９１号、特開平１−９５０９１号及び同３−１３３７６号等に記載されている退色防止剤、特開昭５９−４２９９３号、同５９−５２６８９号、同６２−２８００６９号、同６１−２４２８７１号及び特開平４−２１９２６６号等に記載されている蛍光増白剤等を挙げることができる。
【００７８】
本発明のインクジェットインクを吐出して画像形成を行う際に、使用するインクジェットヘッドはオンデマンド方式でもコンティニュアス方式でも構わない。又吐出方式としては、電気−機械変換方式（例えば、シングルキャビティー型、ダブルキャビティー型、ベンダー型、ピストン型、シェアーモード型、シェアードウォール型等）、電気−熱変換方式（例えば、サーマルインクジェット型、バブルジェット（登録商標）型等）
等など何れの吐出方式を用いても構わない。
【００７９】
本発明のインクジェットインクを用いた画像形成方法においては、例えば、インクジェットインクを装填したプリンター等により、デジタル信号に基づきインクジェットヘッドよりインクを液滴として吐出させインク受容体に付着させることで、例えばインクジェット画像記録媒体上にインクジェット記録画像が形成されたインクジェットプリントが得られる。
【００８０】
インクジェット画像記録媒体としては、例えば、普通紙、コート紙、キャストコート紙、光沢紙、光沢フィルム、ＯＨＰフィルムのいずれも使用することができ、高画質な画像を得るためには支持体の上に例えば多孔質層が形成されている所謂空隙層を有する記録液受容層が塗布された記録媒体を用いてもよいが、コピー紙等事務用紙に代表される普通紙であることが、安価であること、また本発明のインクジェットインクに用いる記録媒体として、インクの特性を充分に発揮（印字品質がよく、裏抜けがないまた、印字後に皺やカールが少ない）できるため好ましい。
【００８１】
普通紙とは、非塗工用紙、特殊印刷用紙及び情報用紙の一部に属す、８０〜２００μｍの非コート紙が望ましい。本発明の普通紙としては、例えば、上級印刷紙、中級印刷紙、下級印刷紙、薄様印刷紙、微塗工印刷用紙、色上質紙等特殊印刷用紙、フォーム用紙、ＰＰＣ用紙、その他情報用紙等があり、具体的には下記する用紙及びこれらを用いた各種の変性／加工用紙があるが、本発明は特にこれらに限定されるものではない。
【００８２】
上質紙および色上質紙、再生紙、複写用紙・色もの、ＯＣＲ用紙、ノーカーボン紙・色もの、ユポ６０、８０、１１０ミクロン、ユポコート７０、９０ミクロン等の合成紙、その他片面アート紙６８ｋｇ、コート紙９０ｋｇ、フォームマット紙７０、９０、１１０ｋｇ、発泡ＰＥＴ３８ミクロン、みつおりくん（以上、小林記録紙）、ＯＫ上質紙、ニューＯＫ上質紙、サンフラワー、フェニックス、ＯＫロイヤルホワイト、輸出上質紙（ＮＰＰ、ＮＣＰ、ＮＷＰ、ロイヤルホワイト）ＯＫ書籍用紙、ＯＫクリーム書籍用紙、クリーム上質紙、ＯＫ地図用紙、ＯＫいしかり、きゅうれい、ＯＫフォーム、ＯＫＨ、ＮＩＰ−Ｎ（以上、新王子製紙）、金王、東光、輸出上質紙、特需上質紙、書籍用紙、書籍用紙Ｌ、淡クリーム書籍用紙、小理教科書用紙、連続伝票用紙、上質ＮＩＰ用紙、銀環、金陽、金陽（Ｗ）、ブリッジ、キャピタル、銀環書籍、ハープ、ハープクリーム、ＳＫカラー、証券用紙、オペラクリーム、オペラ、ＫＹＰカルテ、シルビアＨＮ、エクセレントフォーム、ＮＰＩフォームＤＸ（以上、日本製紙）、パール、金菱、ウスクリーム上質紙、特製書籍用紙、スーパー書籍用紙、書籍用紙、ダイヤフォーム、インクジェットフォーム（以上、三菱製紙）、金毯Ｖ、金毯ＳＷ、白象、高級出版用紙、クリーム金毯、クリーム白象、証券・金券用紙、書籍用紙、地図用紙、複写用紙、ＨＮＦ（以上、北越製紙）しおらい、電話帳表紙、書籍用紙、クリームしおらい、クリームしおらい中ラフ、クリームしおらい大ラフ、ＤＳＫ（以上、大昭和製紙）、せんだいＭＰ上質紙、錦江、雷鳥上質、掛紙、色紙原紙、辞典用紙、クリーム書籍、白色書籍、クリーム上質紙、地図用紙、連続伝票用紙（以上、中越パルプ）、ＯＰ金桜（チューエツ）、金砂、参考書用紙、交換証用紙（白）、フォーム印刷用紙、ＫＲＦ、白フォーム、カラーフォーム、（Ｋ）ＮＩＰ、ファインＰＰＣ、紀州インクジェット用紙（以上紀州製紙製）、たいおう、ブライトフォーム、カント、カントホワイト、ダンテ、ＣＭ用紙、ダンテコミック、ハイネ、文庫本用紙、ハイネＳ、ニューＡＤ用紙、ユトリロエクセル、エクセルスーパーＡ、カントエクセル、エクセルスーパーＢ、ダンテエクセル、ハイネエクセル、エクセルスーパーＣ、エクセルスーパーＤ、ＡＤエクセル、エクセルスーパーＥ、ニューブライトフォーム、ニューブライトＮＩＰ（以上大王製紙製）、日輪、月輪、雲嶺、銀河、白雲、ワイス、月輪エース、白雲エース、雲岑エース（以上日本紙業製）、たいおう、ブライトフォーム、ブライトニップ（以上名古屋パルプ）、牡丹Ａ、金鳩、特牡丹、白牡丹Ａ、白牡丹Ｃ、銀鳩、スーパー白牡丹Ａ、淡クリーム白牡丹、特中質紙、白鳩、スーパー中質紙、青鳩、赤鳩、金鳩Ｍスノービジョン、スノービジョン、金鳩スノービジョン、白鳩Ｍ、スーパーＤＸ、はまなすＯ、赤鳩Ｍ、ＨＫスーパー印刷紙（以上本州製紙製）、スターリンデン（Ａ・ＡＷ）、スターエルム、スターメイプル、スターローレル、スターポプラ、ＭＯＰ、スターチェリーＩ、チェリーＩスーパー、チェリーIIスーパー、スターチェリーIII、スターチェリーIV、チェリーIIIスーパー、チェリーIVスーパー（以上丸住製紙製）、ＳＨＦ（以上東洋パルプ製）、ＴＲＰ（以上東海パルプ製）、コニカコピーペーパーＮＲ−Ａ１００（コニカミノルタビジネステクノロジー社製）。
【００８３】
本発明のインクジェット記録方法においては、本発明のインクジェットインクを用いて、被記録媒体の両面に印字することを特徴の１つとする。
【００８４】
被記録媒体としては、例えば、上質紙および色上質紙、インクジェット普通紙および専用紙、再生紙および伝票用紙等があげられる。通常、普通紙として広範に使用される膜厚８０〜２００μｍの用紙が本発明の目的に特に好ましい。
【００８５】
本発明のインクジェットインクは、上記のような、普通紙上において、高速で印字を行うことができ、浸透性、乾燥性に優れ、しかも通常のインクと異なり普通紙に印字してもカール等が、生じず、しかも文字再現性がよく、および記録媒体の裏にインクが抜けて、裏からみえてしまう現象である所謂裏抜け等の現象を生じない、また、印字直後でも裏写りのない浸透性、乾燥性に優れたインクジェットインクであるため、特に、両面印字を行う際に、本発明の目的効果をいかんなく発揮することができる。
【実施例】
【００８６】
以下、実施例を挙げて本発明を具体的に説明するが、本発明はこれらに限定されるものではない。
【００８７】
《顔料分散体の調製》
〔イエロー顔料分散体Ｙ１の調製〕
下記の添加剤からなる混合物を、直径１ｍｍのジルコニアビーズと共に容器に入れて密閉し、ペイントシェーカーにて２時間分散処理した後、ジルコニアビーズを除去してイエロー顔料分散体Ｙ１を調製した。
【００８８】
スチレン、メタクリル酸、メタクリル酸オクチル、メタクリル酸ヒドロキシエチル（質量比＝１０／４０／２０／３０）を共重合して得られた高分子分散剤          ５質量部
顔料：Ｃ．Ｉ．ピグメントイエロー１２８                              １５質量部
水                                                                  ８０質量部
〔マゼンタ顔料分散体Ｍ１の調製〕
上記イエロー顔料分散体Ｙ１の調製において、Ｃ．Ｉ．ピグメントイエロー１２８に代えて、Ｃ．Ｉ．ピグメントレッド１２２を用いた以外は同様にして、マゼンタ顔料分散体Ｍ１を調製した。
【００８９】
〔シアン顔料分散体Ｃ１の調製〕
上記イエロー顔料分散体Ｙ１の調製において、Ｃ．Ｉ．ピグメントイエロー１２８に代えて、Ｃ．Ｉ．ピグメントブルー１５：３を用いた以外は同様にして、シアン顔料分散体Ｃ１を調製した。
【００９０】
〔ブラック顔料分散体Ｋ１の調製〕
上記イエロー顔料分散体Ｙ１の調製において、Ｃ．Ｉ．ピグメントイエロー１２８に代えて、Ｃ．Ｉ．ピグメントブラック７を用いた以外は同様にして、ブラック顔料分散体Ｃ１を調製した。
【００９１】
〔ブラック顔料分散体Ｋ２の調製〕
自己分散顔料として、Ｃａｂ−Ｏ−Ｊｅｔ−３００（Ｃａｂｏｔ社製  顔料濃度１５質量％）を用い、これをブラック顔料分散体Ｋ２とした。
【００９２】
《インクの調製》
〔インク１の調製〕
下記の各添加剤を混合し、良く攪拌した。次いで、この混合液をろ過及び中空糸膜を用いた膜脱気処理を行って、インク１を調製した。
【００９３】
化合物１：γ−ブチロラクトン                                        ２２質量部
化合物２：ジエチレングリコール                                      １５質量部
マゼンタ顔料分散体Ｍ１                                顔料固形分換算で３質量部
防黴剤：プロキセルＧＸＬ（アビシア社製）                          ０．２質量部
水                                                  総量が１００質量部となる量
〔インク２〜１８の調製〕
上記インク１の調製において、各添加剤の構成を表１に記載のように変更した以外は同様にして、インク２〜１８を調製した。
【００９４】
なお、表１に記載の各略称の詳細は、以下の通りである。
【００９５】
（溶媒）
γ−ＢＲ：γ−ブチロラクトン（＊１、＊２）
ＤＭＩ：１，３−ジメチル−２−イミダゾリジノン（＊１、＊２）
ＮＭＰ：Ｎ−メチル−２−ピロリジノン（＊１、＊２）
ＤＭＳＯ：ジメチルスルホオキシド（＊１、＊２）
ＤＭＡＡ：Ｎ，Ｎ−ジメチルアセトアミド（＊１、＊２）
ＤＭＦＡ：Ｎ，Ｎ−ジメチルホルムアミド（＊１、＊２）
炭酸エチレン（＊１）
炭酸プロピレン（＊１、＊２）
ＤＰＧＭＥ：ジプロピレングリコールモノメチルエーテル
ＴＥＧＢＥ：トリエチレングリコールモノメチルエーテル
ＴＥＧＢＥ：トリエチレングリコールモノブチルエーテル
ＥＧｄＭＥ：エチレングリコールジメチルエーテル（比誘電率５．５）
ＤＥＧ：ジエチレングリコール
１，２−ＨＤＯ：１，２−ヘキサンジオール
Ｇｌｙ：グリセリン
上記各溶媒において、＊１は本発明に係る一般式（１）に該当する化合物であり、＊２は、本発明に係る比誘電率が３０以上の非プロトン性溶媒に該当する化合物である。
【００９６】
（界面活性剤）
Ｅ１０１０：オルフィンＥ１０１０（日信化学製  アセチレンジオールのエチレンオキサイド（１０モル）付加物）
（染料）
ブラック染料Ｋ１：Ｆｏｏｄ  Ｂｌａｃｋ  ２
【００９７】
【表１】
2006045450.tif 000003
【００９８】
《インクの特性値の測定及び評価》
（粘度の測定）
上記調製した各インクの２５℃における粘度を、山一電機社製のＭＯＤＥＬ  ＤＤ−１を用いて測定した。
【００９９】
（表面張力の測定）
上記調製した各インクの２５℃における表面張力を、表面張力計（協和界面科学製：ＣＢＶＰ−Ｚ）を使用し、白金プレート法により測定した。
【０１００】
（インクの分散安定性の評価）
各インクをガラス瓶に収納した後、６０℃の環境で１週間保存し、保存前後での粘度の変化幅を測定し、下記の基準に従ってインクの分散安定性を評価した。
【０１０１】
○：保存後のインク粘度の変化幅が、保存前のインク粘度の±１０％未満である
×：保存後のインク粘度の変化幅が、保存前のインク粘度の±１０％以上である
《インクジェット画像の形成》
ノズル直径２３μｍ、１色当りのノズル数１２８、同色ノズル密度９０ｄｐｉ（ｄｐｉとは１インチ、即ち２．５４ｃｍ当たりのドット数を表す）のピエゾ型ヘッドを搭載し、記録密度１４４０ｄｐｉ×１４４０ｄｐｉ、１滴あたりの液滴体積が６ｐｌとなるように設定したオンデマンド型インクジェットプリンタに前記作製したインクジェットインクをそれぞれセットして、さらに記録媒体として普通紙（コニカコピーペーパーＮＲ−Ａ１００（コニカミノルタビジネステクノロジー社製））を給紙トレーにセットして、１０ｃｍ×１０ｃｍのベタ画像を印字した。
【０１０２】
この様にして作成した各画像記録試料それぞれについて下記の評価を行った。
【０１０３】
《画像記録試料の評価》
（裏抜け耐性の評価）
前記の普通紙（コニカコピーペーパーＮＲ−Ａ１００）に印字した試料の裏面を目視観察し、下記の基準に従って裏抜け耐性の評価を行った。
【０１０４】
Ａ：裏面にインクの滲み、裏抜けが全く認められない
Ｂ：裏面にインクの滲み、裏抜けが僅かに認められる程度であり許容される品質である
Ｃ：裏面にインクの滲み、裏抜けがやや認められるが、裏面印刷に際し気にならない程度である
Ｄ：裏面にインクの滲み、裏抜けがかなり認められ、裏面印刷に際し許容されない品質である
Ｅ：明らかな裏面へのインクの滲み、裏抜けが認められ、裏面印刷に対しては不適の品質である
（カール耐性の評価）
前記１０ｃｍ×１０ｃｍの面積でベタ印字を行った試料について印字後その環境下で３分放置してカールを測定し、各画像を出力したときのカールについて、下記の基準に則りカール耐性の評価を行った。
【０１０５】
Ａ：カール全くなし
Ｂ：わずかにカールが発生している
Ｃ：やや伸縮が認められ、弱いカールが発生しているが実用上問題となる品質ではない
Ｄ：収縮が大きく、明らかなカールが発生し、実用上問題となる品質である
Ｅ：収縮が大きく、強いカールが発生し、実用上問題となる品質である
（乾燥性の評価）
上記ベタ印字画像を、連続的に２００枚印字し、排紙トレー上に重ねて排出された印字後の試料について、重なった試料の白地の裏面に、ベタ印字部からのインクの転写があるか否かを目視観察し、下記の基準に従って乾燥性の評価を行った。
【０１０６】
Ａ：重なった他の試料裏面へのインクの転写が全く認められなかった
Ｂ：ややインク転写が認められた
Ｃ：弱いインク転写が認められた
Ｄ：明らかにインク転写が認められた
Ｅ：かなり激しいインク転写が認められた
（両面印字適性の評価）
裏移りを評価した上記ベタ印字画像２００枚を、裏移り評価後直ちに、再び、同じインクを用いて、前記インクジェットプリンターの給紙トレーに裏面がプリント面になる様に、再度セットし、ベタ画像を連続的に印字して、印字中、或いは印字後に、搬送不良や、プリンタ搬送部の汚染の有無について目視観察し、下記の基準に従って両面印字適性の評価を行った。
【０１０７】
Ａ：搬送不良や、プリンタ搬送部の汚染が全く認められなかった
Ｂ：搬送不良はみとめられず、プリンタ搬送部の汚染は殆ど認められなかった
Ｃ：搬送不良はみとめられず、プリンタ搬送部にやや汚染が認められたが、実用上問題になる程度ではなかった。
【０１０８】
Ｄ：連続印字中に搬送不良が発生し、また、プリンタ搬送部にも汚染が認められた
Ｅ：連続印字中に搬送不良が度々発生し、また、プリンタ搬送部にもかなり汚染が認められた
以上により得られた結果を、表２に示す。
【０１０９】
【表２】
2006045450.tif 000004
【０１１０】
表２に記載の結果より明らかなように、本発明で規定する構成からなる本発明のインク（顔料インク）は、比較例に対し、インクの分散安定性に優れ、また普通紙を用いて印字した際に、裏抜け耐性、カール耐性、乾燥性及び両面印字適性に優れていることが分かる。